(57)【要約】  基地局装置の登録時に、基地局装置は接続すべきコアネットワークのリスト情報を前記ゲートウェイ装置に通知する。ユーザー端末からの発呼時に、基地局装置は、基地局装置とゲートウェイが終端するプロトコルのメッセージによって、ユーザー端末と接続すべきコアネットワークを示すネットワーク識別情報を、ゲートウェイ装置に通知する。ゲートウェイ装置は、通知されたネットワーク識別情報が示すコアネットワークに、ユーザー端末からの制御メッセージを転送する。ユーザー端末への着呼時に、ゲートウェイ装置は、登録時に基地局装置から通知されたリスト情報に基づいて、コアネットワークからのページングを送信すべき基地局装置を選択する。
2012176545.tif 000002
【特許請求の範囲】
【請求項１】
ユーザー端末と無線回線で接続する基地局装置と、前記基地局装置を複数のコアネットワークに接続するゲートウェイ装置とを有し、
前記基地局装置の登録時に、該基地局装置は接続すべきコアネットワークのリスト情報を前記ゲートウェイ装置に通知し、
前記ユーザー端末からの発呼時に、前記基地局装置は、基地局装置とゲートウェイが終端するプロトコルのメッセージによって、前記ユーザー端末と接続すべきコアネットワークを示すネットワーク識別情報を、前記ゲートウェイ装置に通知し、前記ゲートウェイ装置は、通知された前記ネットワーク識別情報が示すコアネットワークに、前記ユーザー端末からの制御メッセージを転送し、
前記ユーザー端末への着呼時に、前記ゲートウェイ装置は、前記登録時に前記基地局装置から通知された前記リスト情報に基づいて、前記コアネットワークからのページングを送信すべき基地局装置を選択する、
通信システム。
【請求項２】
前記登録時に前記基地局装置は、ＨＮＢＡＰ  ＨＮＢ  Ｒｅｇｉｓｔｒａｔｉｏｎ  Ｒｅｑｕｅｓｔメッセージに、前記リスト情報であるＰＬＭＮ  ＩＤのリストをパラメータとして搭載し、前記ゲートウェイ装置に通知する、請求項１に記載の通信システム。
【請求項３】
前記ユーザー端末からの発呼時に、前記基地局装置は、ＲＵＡ  Ｃｏｎｎｅｃｔメッセージに、前記ネットワーク識別情報であるＰＬＭＮ  ＩＤをパラメータとして搭載し、前記ゲートウェイ装置に通知する、請求項１または２に記載の通信システム。
【請求項４】
ユーザー端末と無線回線で接続し、ゲートウェイ装置を介して複数のコアネットワークに接続する基地局装置であって、
前記基地局装置をコアネットワークに登録する処理を行い、該処理において、接続すべきコアネットワークのリスト情報を前記ゲートウェイ装置に通知する登録部と、
前記ユーザー端末からの発呼の処理を行い、該処理において、基地局装置とゲートウェイ装置が終端するプロトコルのメッセージによって、前記ユーザー端末と接続すべきコアネットワークを示すネットワーク識別情報を、前記ゲートウェイ装置に通知する呼制御部と、
を有する基地局装置。
【請求項５】
前記登録部は、ＨＮＢＡＰ  ＨＮＢ  Ｒｅｇｉｓｔｒａｔｉｏｎ  Ｒｅｑｕｅｓｔメッセージに、前記リスト情報であるＰＬＭＮ  ＩＤのリストをパラメータとして搭載し、前記ゲートウェイ装置に通知する、請求項４に記載の基地局装置。
【請求項６】
前記ユーザー端末からの発呼時に、前記呼制御部は、ＲＵＡ  Ｃｏｎｎｅｃｔメッセージに、前記ネットワーク識別情報であるＰＬＭＮ  ＩＤをパラメータとして搭載し、前記ゲートウェイ装置に通知する、請求項４または５に記載の基地局装置。
【請求項７】
ユーザー端末と無線回線で接続する基地局装置を複数のコアネットワークに接続するゲートウェイ装置であって、
前記基地局装置をコアネットワークに登録する処理を行い、前記基地局装置が接続すべきコアネットワークのリスト情報を前記基地局装置から受信する登録部と、
前記登録部が受信した前記リスト情報を保持するデータ管理部と、
前記ユーザー端末からの発呼および前記ユーザー端末への着呼の処理を行い、前記発呼の処理において、基地局装置とゲートウェイが終端するプロトコルのメッセージによって、前記ユーザー端末と接続すべきコアネットワークを示すネットワーク識別情報を、前記基地局装置から受信し、受信した前記ネットワーク識別情報が示すコアネットワークに、前記ユーザー端末からの制御メッセージを転送し、前記着呼の処理において、前記データ管理部が保持している前記リスト情報に基づいて、前記コアネットワークからのページングを送信すべき基地局装置を選択する、呼制御部と、
を有するゲートウェイ装置。
【請求項８】
ユーザー端末と無線回線で接続し、ゲートウェイ装置を介して複数のコアネットワークに接続する基地局装置を制御するための基地局装置制御方法であって、
当該基地局装置をコアネットワークに登録する処理において、接続すべきコアネットワークのリスト情報を前記ゲートウェイ装置に通知し、
前記ユーザー端末からの発呼の処理において、基地局装置とゲートウェイ装置が終端するプロトコルのメッセージによって、前記ユーザー端末と接続すべきコアネットワークを示すネットワーク識別情報を、前記ゲートウェイ装置に通知する、
基地局装置制御方法。
【請求項９】
ユーザー端末と無線回線で接続する基地局装置を複数のコアネットワークに接続するゲートウェイ装置を制御するためのゲートウェイ装置制御方法であって、
前記基地局装置をコアネットワークに登録する処理において、前記基地局装置が接続すべきコアネットワークのリスト情報を前記基地局装置から受信して保持し、
前記ユーザー端末からの発呼の処理において、基地局装置とゲートウェイが終端するプロトコルのメッセージによって、前記ユーザー端末と接続すべきコアネットワークを示すネットワーク識別情報を、前記基地局装置から受信し、
受信した前記ネットワーク識別情報が示すコアネットワークに、前記ユーザー端末からの制御メッセージを転送し、
前記ユーザー端末への着呼の処理において、保持している前記リスト情報に基づいて、前記コアネットワークからのページングを送信すべき基地局装置を選択する、
ゲートウェイ装置制御方法。
【発明の詳細な説明】
【技術分野】
【０００１】
本発明は、フェムト基地局によってユーザー端末と接続する通信システムに関し、特に、複数の通信事業者のコアネットワークがフェムト基地局を共有する通信システムに関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、複数の通信事業者のコアネットワーク（ＣＮ）が無線アクセスネットワークを共有するためのＭＯＣＮ（Ｍｕｌｔｉ−Ｏｐｅｒａｔｏｒ  Ｃｏｒｅ  Ｎｅｔｗｏｒｋ）と呼ばれる技術がある（特許文献１、２参照）。【０００３】
ＭＯＣＮにおいて、フェムト基地局（ＨＮＢ：Ｈｏｍｅ  Ｎｏｄｅ  Ｂ）を複数の通信事業者で共有する場合、ＨＮＢは、ＨＮＢ−ＧＷ（ＨＮＢ−Ｇａｔｅｗａｙ）を介して複数のＣＮと接続される。そして、ユーザー端末からの発呼時には、ＨＮＢ−ＧＷはユーザー端末からの制御メッセージを適切なＣＮに転送する必要がある。【０００４】
また、ＨＮＢ起動時には、上述のようにＨＮＢをＨＮＢ−ＧＷを介して複数のＣＮに接続する必要がある。そのために、ＨＮＢ起動時には、ＨＮＢを接続すべき複数のＣＮをＨＮＢ−ＧＷに通知する必要がある。
【先行技術文献】
【特許文献】
【０００５】
【特許文献１】特表２００８−５３５３４０号公報
【特許文献２】特許第４１０９６９５号公報
【発明の概要】
【発明が解決しようとする課題】
【０００６】
ＭＯＣＮにおいて、ＨＮＢに接続したユーザー端末からの発呼時、制御メッセージはＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）で転送される。３ＧＰＰ  ２５．４２３に規定されているＲＡＮＡＰ  Ｉｎｉｔｉａｌ  ＵＥ  Ｍｅｓｓａｇｅには、Ｓｅｌｅｃｔｅｄ  ＰＬＭＮ（ＰｕｂｌｉｃＬａｎｄ  ＭｏｂｉｌｅＮｅｔｗｏｒｋ）  Ｉｄｅｎｔｉｔｙが含まれており、ユーザー端末が選択したＣＮを、ＲＡＮＡＰ  Ｉｎｉｔｉａｌ  ＵＥ  Ｍｅｓｓａｇｅにおいて、このＳｅｌｅｃｔｅｄ  ＰＬＭＮ  Ｉｄｅｎｔｉｔｙで指定することができる。【０００７】
そのため、ＨＮＢ−ＧＷは、制御メッセージを転送すべきＣＮを知るために、このＲＡＮＡＰ  Ｉｎｉｔｉａｌ  ＵＥ  Ｍｅｓｓａｇｅをデコードしなければならない。しかしながら、例えば、ＲＡＮＡＰがバージョンアップされ、ｃｒｉｔｉｃａｌｉｔｙ＝ｒｅｊｅｃｔのパラメータが追加された場合、デコーダがその新しいバージョンに対応していなければ、Ｅｒｒｏｒ  Ｉｎｄｉｃａｔｉｏｎが発生してしまい、ＨＮＢ−ＧＷは制御メッセージを適切なＣＮに転送することができなということが起こり得る。【０００８】
また、ＨＮＢ−ＧＷの役割を考慮すれば、本来的には、ＨＮＢ−ＧＷがＲＡＮＡＰメッセージをデコードしなくて良いようなシステムの機能構成が望ましい。このことは、３ＧＰＰ  ２５．４６８に記載されている以下の文章からも明確である。「Ａｄｄｉｔｉｏｎａｌ  ｉｎｆｏｒｍａｔｉｏｎ  ｉｓ  ｐｒｏｖｉｄｅｄ  ｔｏ  ｅｎａｂｌｅ  ｔｈｅ  ＨＮＢ−ＧＷ  ｔｏ  ｈａｎｄｌｅ  ｔｈｅ  ＲＡＮＡＰ  ｍｅｓｓａｇｅ  ｗｉｔｈｏｕｔ  ｉｔ  ｂｅｉｎｇ  ｎｅｃｅｓｓａｒｙ  ｔｏ  ｉｎｓｐｅｃｔ  ｔｈｅ  ｃｏｎｔｅｎｔｓ  ａｎｄ  ｔｒｉｇｇｅｒ  ｔｈｅ  ｅｓｔａｂｌｉｓｈｍｅｎｔ  ｏｆ  ａ  ｎｅｗ  ＵＥ−ａｓｓｏｃｉａｔｅｄ  Ｓｉｇｎａｌｌｉｎｇ  Ｃｏｎｎｅｃｔｉｏｎ  ｂｅｔｗｅｅｎ  ＨＮＢ  ａｎｄ  ＨＮＢ−ＧＷ，  ｗｈｉｃｈ  ｉｓ  ｄｉｒｅｃｔｌｙ  ｍａｐｐｅｄ  ｔｏ  ｔｈｅ  Ｉｕ  Ｓｉｇｎａｌｌｉｎｇ  Ｃｏｎｎｅｃｔｉｏｎ  ｔｈｅ  ＲＡＮＡＰ  ｍｅｓｓａｇｅ  ｒｅｆｅｒｓ  ｔｏ．」
また、現行のプロトコルでは、ＨＮＢ起動時にＨＮＢからＨＮＢ−ＧＷに送信されるＨＮＢ  Ｒｅｇｉｓｔｒａｔｉｏｎ  ＲｅｑｕｅｓｔにＰＬＭＮ  ＩＤをひとつしか設定できない。図１は一般的なＨＮＢ  Ｒｅｇｉｓｔｒａｔｉｏｎ  Ｒｅｑｕｅｓｔメッセージに記載されるパラメータを示す表である。図１には、３ＧＰＰ  ２５．４６９  Ｖ９．３．０に規定されているＨＮＢ  Ｒｅｇｉｓｔｒａｔｉｏｎ  Ｒｅｑｕｅｓｔメッセージのパラメータが示されている。これを見て分かるように、ＨＮＢ  Ｒｅｇｉｓｔｒａｔｉｏｎ  ＲｅｑｕｅｓｔにＰＬＭＮ  ＩＤをひとつしか設定できない。【０００９】
そのため、ＨＮＢが接続すべき複数のＣＮのＰＬＭＮ  ＩＤをＨＮＢ−ＧＷに通知することができず、ＨＮＢ−ＧＷはＨＮＢと複数のＣＮを正しく接続することができない。その結果、ＭＯＣＮのＨＮＢに接続されているユーザー端末への着呼時、ＨＮＢ−ＧＷは、Ｐａｇｉｎｇを転送すべき正しいＨＮＢに転送することができず、正常に着信ができないという問題が発生する可能性がある。【００１０】
本発明の目的は、フェムト基地局を複数の通信事業者のコアネットワークで共有し、ユーザー端末の正常な発着呼を可能にするための技術を提供することである。
【課題を解決するための手段】
【００１１】
上記目的を達成するために、本発明の通信システムは、ユーザー端末と無線回線で接続する基地局装置と、前記基地局装置を複数のコアネットワークに接続するゲートウェイ装置とを有し、
前記基地局装置の登録時に、該基地局装置は接続すべきコアネットワークのリスト情報を前記ゲートウェイ装置に通知し、
前記ユーザー端末からの発呼時に、前記基地局装置は、基地局装置とゲートウェイが終端するプロトコルのメッセージによって、前記ユーザー端末と接続すべきコアネットワークを示すネットワーク識別情報を、前記ゲートウェイ装置に通知し、前記ゲートウェイ装置は、通知された前記ネットワーク識別情報が示すコアネットワークに、前記ユーザー端末からの制御メッセージを転送し、
前記ユーザー端末への着呼時に、前記ゲートウェイ装置は、前記登録時に前記基地局装置から通知された前記リスト情報に基づいて、前記コアネットワークからのページングを送信すべき基地局装置を選択するものである。【００１２】
本発明の基地局装置は、ユーザー端末と無線回線で接続し、ゲートウェイ装置を介して複数のコアネットワークに接続する基地局装置であって、
前記基地局装置をコアネットワークに登録する処理を行い、該処理において、接続すべきコアネットワークのリスト情報を前記ゲートウェイ装置に通知する登録部と、
前記ユーザー端末からの発呼の処理を行い、該処理において、基地局装置とゲートウェイ装置が終端するプロトコルのメッセージによって、前記ユーザー端末と接続すべきコアネットワークを示すネットワーク識別情報を、前記ゲートウェイ装置に通知する呼制御部と、を有している。【００１３】
本発明のゲートウェイ装置は、ユーザー端末と無線回線で接続する基地局装置を複数のコアネットワークに接続するゲートウェイ装置であって、
前記基地局装置をコアネットワークに登録する処理を行い、前記基地局装置が接続すべきコアネットワークのリスト情報を前記基地局装置から受信する登録部と、
前記登録部が受信した前記リスト情報を保持するデータ管理部と、
前記ユーザー端末からの発呼および前記ユーザー端末への着呼の処理を行い、前記発呼の処理において、基地局装置とゲートウェイが終端するプロトコルのメッセージによって、前記ユーザー端末と接続すべきコアネットワークを示すネットワーク識別情報を、前記基地局装置から受信し、受信した前記ネットワーク識別情報が示すコアネットワークに、前記ユーザー端末からの制御メッセージを転送し、前記着呼の処理において、前記データ管理部が保持している前記リスト情報に基づいて、前記コアネットワークからのページングを送信すべき基地局装置を選択する、呼制御部と、
を有している。【００１４】
本発明の基地局装置制御方法は、ユーザー端末と無線回線で接続し、ゲートウェイ装置を介して複数のコアネットワークに接続する基地局装置を制御するための基地局装置制御方法であって、
当該基地局装置をコアネットワークに登録する処理において、接続すべきコアネットワークのリスト情報を前記ゲートウェイ装置に通知し、
前記ユーザー端末からの発呼の処理において、基地局装置とゲートウェイ装置が終端するプロトコルのメッセージによって、前記ユーザー端末と接続すべきコアネットワークを示すネットワーク識別情報を、前記ゲートウェイ装置に通知するというものである。【００１５】
本発明のゲートウェイ装置制御方法は、ユーザー端末と無線回線で接続する基地局装置を複数のコアネットワークに接続するゲートウェイ装置を制御するためのゲートウェイ装置制御方法であって、
前記基地局装置をコアネットワークに登録する処理において、前記基地局装置が接続すべきコアネットワークのリスト情報を前記基地局装置から受信して保持し、
前記ユーザー端末からの発呼の処理において、基地局装置とゲートウェイが終端するプロトコルのメッセージによって、前記ユーザー端末と接続すべきコアネットワークを示すネットワーク識別情報を、前記基地局装置から受信し、
受信した前記ネットワーク識別情報が示すコアネットワークに、前記ユーザー端末からの制御メッセージを転送し、
前記ユーザー端末への着呼の処理において、保持している前記リスト情報に基づいて、前記コアネットワークからのページングを送信すべき基地局装置を選択するというものである。
【発明の効果】
【００１６】
本発明によれば、基地局装置を複数の通信事業者のコアネットワークで共有する通信システムにおいてユーザー端末の正常な発着呼が可能となる。
【図面の簡単な説明】
【００１７】
【図１】一般的なＨＮＢ  Ｒｅｇｉｓｔｒａｔｉｏｎ  Ｒｅｑｕｅｓｔメッセージに記載されるパラメータを示す表である。
【図２】本実施形態の通信システムの構成を示すブロック図である。
【図３】本実施形態によるＨＮＢ  Ｒｅｇｉｓｔｒａｔｉｏｎ  Ｒｅｑｕｅｓｔメッセージに記載されるパラメータを示す表である。
【図４】一般的なＲＵＡ  Ｃｏｎｎｅｃｔメッセージに記載されるパラメータを示す表である。
【図５】本実施形態のＲＵＡ  Ｃｏｎｎｅｃｔメッセージに記載されるパラメータを示す表である。
【図６】同じページングエリアに複数のＨＮＢが複数ある場合の接続構成例を示す図である。
【図７】ＨＮＢ２００の構成を示すブロック図である。
【図８】ＨＮＢ−ＧＷ３００の構成を示すブロック図である。
【発明を実施するための形態】
【００１８】
本発明を実施するための形態について図面を参照して詳細に説明する。
【００１９】
図２は、本実施形態の通信システムの構成を示すブロック図である。本実施形態の通信システムはフェムト基地局によるＭＯＣＮが可能なＵＭＴＳシステムである。
【００２０】
図２を参照すると、ＨＮＢ２００がＨＮＢ−ＧＷ３００を介して複数のＣＮ４００〜４０２に接続されている。ＨＮＢ２００は無線回線で複数のユーザー端末１００〜１０２と接続する。ユーザー端末１００〜１０２は携帯電話機やスマートフォン等の無線通信端末である。ＣＮ４００〜４０２はそれぞれ異なる通信事業者１０〜３０によって運営されるネットワークであり、加入しているユーザー端末の呼を接続し、通信を中継する。各ユーザー端末１００〜１０２はそれぞれ通信事業者１０〜３０のサービスに加入しており、それぞれ自装置が加入している通信事業者１０〜３０のＣＮ４００〜４０２に接続する。
【００２１】
ＨＮＢ２００はユーザー端末１００〜１０２と無線回線で接続するフェムトセルの基地局装置であり、通信事業者１０、２０、３０に共有されている。ＨＮＢ２００は、例えば起動時などの登録時に、自装置が接続すべきＣＮのリスト情報をＨＮＢ−ＧＷ３００に通知する。このリスト情報には、複数のＣＮのネットワーク識別情報を含めることができる。本実施形態の例では、リスト情報には、ＣＮ４００〜４０２のネットワーク識別情報が含まれる。これにより、ユーザー端末１００〜１０２は、ＨＮＢ２００を介して、自装置が加入しているＣＮ４００〜４０２に接続することが可能となる。
【００２２】
より具体的には、本実施形態では３ＧＰＰの２５．４６９  Ｖ９．３．０で定義されているＨＮＢＡＰ  ＨＮＢ  Ｒｅｇｉｓｔｒａｔｉｏｎ  Ｒｅｑｕｅｓｔメッセージの規定が変更されており、ＨＮＢ２００は、そのＨＮＢＡＰ  ＨＮＢ  Ｒｅｇｉｓｔｒａｔｉｏｎ  Ｒｅｑｕｅｓｔメッセージに、リスト情報である複数のＰＬＭＮ  ＩＤのリストをパラメータとして搭載し、ＨＮＢ−ＧＷ３００に通知することができる。
【００２３】
図３は、本実施形態によるＨＮＢ  Ｒｅｇｉｓｔｒａｔｉｏｎ  Ｒｅｑｕｅｓｔメッセージに記載されるパラメータを示す表である。本実施形態による図３の表を図１の表と比較すると、図３にはＰＬＭＮ−ＩＤ  Ｌｉｓｔというパラメータが追加されている。本パラメータには、最大でＰＬＭＮの最大数となる個数のＰＬＭＮ  ＩＤのリストが記載されうる。
【００２４】
また、ＨＮＢ２００は、いずれかのユーザー端末からの発呼時に、ＨＮＢとＨＮＢ−ＧＷが終端するプロトコルのメッセージによって、そのユーザー端末と接続すべきＣＮを示すネットワーク識別情報を、ＨＮＢ−ＧＷ３００に通知する。本実施形態では、例えば、ユーザー端末１００はＣＮ４００に加入しているので、ユーザー端末１００からの発呼時には、ＨＮＢ２００は、ユーザー端末１００と接続すべきＣＮ４００のネットワーク識別情報をＨＮＢ−ＧＷ３００に通知する。
【００２５】
より具体的には、本実施形態では３ＧＰＰの２５．４６８  Ｖ９．３．０で定義されているＲＵＡ  Ｃｏｎｎｅｃｔメッセージの規定が変更されており、ＨＮＢ２００は、ＲＵＡ  Ｃｏｎｎｅｃｔメッセージに、ＣＮのネットワーク識別情報であるＰＬＭＮ  ＩＤをパラメータとして搭載し、ＨＮＢ−ＧＷ３００に通知することができる。ＲＵＡ（ＲＡＮＡＰ  Ｕｓｅｒ  Ａｄａｐｔｉｏｎ）は、ＨＮＢとＨＮＢ−ＧＷが終端するプロトコルである。
【００２６】
図４は一般的なＲＵＡ  Ｃｏｎｎｅｃｔメッセージに記載されるパラメータを示す表である。図５は、本実施形態のＲＵＡ  Ｃｏｎｎｅｃｔメッセージに記載されるパラメータを示す表である。
【００２７】
図４には、３ＧＰＰ  ２５．４６８  Ｖ９．３．０に規定されているＲＵＡ  Ｃｏｎｎｅｃｔメッセージのパラメータが示されている。これを見て分かるように、ＲＵＡ  Ｃｏｎｎｅｃｔメッセージには、ユーザー端末が接続するＣＮを示すＰＬＭＮ  ＩＤを設定することができない。
【００２８】
一方、図５には、ＲＵＡ  Ｃｏｎｎｅｃｔメッセージに設定できるパラメータとしてＳｅｌｅｃｔｅｄ  ＰＬＭＮ  ｉｄｅｎｔｉｙが追加されている。ＨＮＢ２００は、ユーザー端末１００と接続すべきＣＮを示すＰＬＭＮ  ＩＤを、このＳｅｌｅｃｔｅｄ  ＰＬＭＮ  ｉｄｅｎｔｉｙに設定し、ＨＮＢ−ＧＷ３００に通知することができる。
【００２９】
ＨＮＢ−ＧＷ３００はＨＮＢ２００を複数のＣＮ４００〜４０２に接続するゲートウェイ装置であり、複数の通信事業者１０、２０、３０に共有されている。
【００３０】
ＨＮＢ２００の登録時に、ＨＮＢ−ＧＷ３００は、ＨＮＢ２００が接続すべきＣＮのリスト情報をＨＮＢ２００から受信する。ＨＮＢ−ＧＷ３００は、リスト情報を受信すると、ＨＮＢ２００が属すべき各ＣＮにおけるページングエリアをリスト情報に含め、そのリスト情報を保持する。
【００３１】
ＨＮＢ−ＧＷ３００は、ユーザー端末からの発呼時に、ＨＮＢ２００から通知されたネットワーク識別情報が示すＣＮに、そのユーザー端末からの制御メッセージを転送する。例えば、ＨＮＢ−ＧＷ３００は、ユーザー端末１００からの発呼時にＨＮＢ２００から通知されたネットワーク識別情報がＣＮ４００を示すものであれば、ユーザー端末１００からの制御メッセージをＣＮ４００に転送する。これにより、ユーザー端末１００からの制御メッセージを、ユーザー端末１００が加入しているＣＮ４００に送達することが可能となる。
【００３２】
また、ＨＮＢ−ＧＷ３００は、いずれかのユーザー端末への着呼時に、保持しているリスト情報に基づいて、ＣＮからのページングを送信すべきＨＮＢを選択する。ここでは、ユーザー端末１００がＨＮＢ２００に在圏しており、ＣＮ４００からユーザー端末１００への着呼があったとする。その場合、その場合、ＨＮＢ−ＧＷ３００は、ＣＮ４００からのページングを、ＨＮＢ２００を含むページングエリアに属する基地局装置に送信する。
【００３３】
図２には、１つのＨＮＢ２００しか示されていないが、実際の通信システムには複数の基地局装置が存在する。ＨＮＢ−ＧＷ３００は、ＣＮ４００からユーザー端末１００への着呼メッセージを受信すると、そのページングエリアに属する基地局装置にだけページングを送信する。
【００３４】
図６は、同じページングエリアに複数のＨＮＢが複数ある場合の接続構成例を示す図である。図６には複数のＨＮＢ２００、２１０、２２０、２３０、２４０が示されている。図中の各ＨＮＢ２００〜２４０には、それぞれのＨＮＢが接続されているＣＮのＰＬＭＮ  ＩＤが記載されている。例えば、ＨＮＢ２００は、ＰＬＭＮ  ＩＤ＝１０のＣＮ４００と、ＰＬＭＮ  ＩＤ＝２０のＣＮ４０１に接続されている。また、ＨＮＢ２１０は、ＰＬＭＮ  ＩＤ＝２０のＣＮ４０１と、ＰＬＭＮ  ＩＤ＝３０のＣＮ４０２に接続されている。ＨＮＢ２２０は、ＰＬＭＮ  ＩＤ＝１０のＣＮ４００と、ＰＬＭＮ  ＩＤ＝３０のＣＮ４０２に接続されている。ＨＮＢ２３０は、ＰＬＭＮ  ＩＤ＝１０のＣＮ４００に接続されている。ＨＮＢ２４０は、ＰＬＭＮ  ＩＤ＝２０のＣＮ４０１に接続されている。なお、ここでは説明を簡単にするため、登場するＨＮＢが異なるページングエリアに属していることは無いものとする。
【００３５】
図６の接続構成において、例えばＣＮ４００からユーザー端末１００に着呼があると、ＨＮＢ−ＧＷ３００は、ＣＮ４００（ＰＬＭＮ  ＩＤ＝１０）に接続されているＨＮＢ２００、２２０、２３０にページングを送信することとなる。また、例えばＣＮ４０１からユーザー端末１０１に着呼があると、ＨＮＢ−ＧＷ３００は、ＣＮ４０１（ＰＬＭＮ  ＩＤ＝２０）に接続されているＨＮＢ２００、２１０、２４０にページングを送信することとなる。
【００３６】
以上、説明したように、本実施形態によれば、ＨＮＢ２００の登録時に、接続すべきＣＮのリスト情報をＨＮＢ−ＧＷ３００に通知し、ユーザー端末への着呼時に、ＨＮＢ−ＧＷ３００が、リスト情報に基づいてページングを送信すべきＨＮＢ２００を選択する。また、ユーザー端末からの発呼時に、ＨＮＢ２００がユーザー端末と接続すべきＣＮのネットワーク識別情報をＨＮＢ−ＧＷ３００に通知し、ＨＮＢ−ＧＷ３００が、そのネットワーク識別情報が示すコアネットワークにユーザー端末からの制御メッセージを転送する。そのため、ＨＮＢを複数のＣＮで共有するシステム構成においてユーザー端末の正常な発着呼が可能となる。
【００３７】
図７は、ＨＮＢ２００の構成を示すブロック図である。図７を参照すると、ＨＮＢ２００は登録部２０１と呼制御部２０２を有している。
【００３８】
ＨＮＢ２００は、上述のように、ユーザー端末１００〜１０２と無線回線で接続し、ＨＮＢ−ＧＷ３００を介して複数のＣＮ４００〜４０２に接続する基地局装置である。
【００３９】
登録部２０１は、ＨＮＢ２００をＣＮに登録する処理を行い、その処理において、接続すべきＣＮのリスト情報をＨＮＢ−ＧＷ３００に通知する。
【００４０】
呼制御部２０２は、ユーザー端末の発着呼の処理を行い、発呼の処理において、ＨＮＢ２００とＨＮＢ−ＧＷ３００が終端するプロトコルのメッセージによって、ユーザー端末と接続すべきＣＮを示すネットワーク識別情報を、ＨＮＢ−ＧＷ３００に通知する。
【００４１】
図８は、ＨＮＢ−ＧＷ３００の構成を示すブロック図である。図８を参照すると、ＨＮＢ−ＧＷ３００は、登録部３０１、データ管理部３０２、および呼制御部３０３を有している。
【００４２】
ＨＮＢ−ＧＷ３００は、上述のように、ユーザー端末１００〜１０２と無線回線で接続するＨＮＢ２００を複数のＣＮ４００〜４０２に接続するゲートウェイ装置である。
【００４３】
登録部３０１は、ＨＮＢ２００をＣＮ４００〜４０２に登録する処理を行い、その際、ＨＮＢ２００が接続すべきＣＮ４００〜４０２のリスト情報をＨＮＢ２００から受信する。
【００４４】
データ管理部３０２は、登録部３０１が受信したリスト情報を保持する。具体的には、データ管理部３０２は、ＣＮとＰＬＭＮ  ＩＤの対応関係の情報と、ＨＮＢとそれに接続されたＣＮとの対応関係の情報と、ＨＮＢに在圏しているユーザー端末の情報を保持し、管理する。登録部３０１が受信したリスト情報は、ＨＮＢとそれに接続されたＣＮとの対応関係の情報として保持される。
【００４５】
呼制御部３０３は、ユーザー端末１００〜１０２からの発呼およびユーザー端末１００〜１０２への着呼の処理を行う。その際、呼制御部３０３は、発呼の処理において、ＨＮＢとＨＮＢ−ＧＷが終端するプロトコルのメッセージによって、ユーザー端末と接続すべきＣＮを示すネットワーク識別情報を、ＨＮＢ２００から受信し、そのネットワーク識別情報が示すＣＮに、ユーザー端末からの制御メッセージを転送する。また、呼制御部３０３は、着呼の処理において、データ管理部３０２が保持しているリスト情報に基づいて、ＣＮからのページングを送信すべきＨＮＢ２００を選択する。
【００４６】
次に、本実施形態の発呼時の手順について説明する。ここでは一例としてユーザー端末１００からの発呼について説明する。
【００４７】
ステップ１−１．  ＨＮＢ２００は、接続している複数の通信事業者のＰＬＭＮ  ＩＤのリストを、３ＧＰＰのＴＳ２５．３３１に従ってＳＩＢ１８（Ｓｙｓｔｅｍ  Ｉｎｆｏｒｍａｔｉｏｎ  Ｂｌｏｃｋ  １８）で、ユーザー端末１００〜１０２に無線回線で報知する。
【００４８】
ステップ１−２．  ユーザー端末１００は、報知されたＰＬＭＮ  ＩＤのリストの中から自装置が加入している通信事業者１０のＰＬＭＮ  ＩＤを選択し、ＨＮＢ２００との間でＲＲＣコネクションを確立する。
【００４９】
ステップ１−３．  ＨＮＢ２００はユーザー端末１００から受信したＲＲＣメッセージに含まれる通信事業者１０のＰＬＭＮ  ＩＤをＲＵＡ  Ｃｏｎｎｅｃｔメッセージに設定し、ＨＮＢ−ＧＷ３００に送信する。
【００５０】
ステップ１−４．  ＲＵＡ  Ｃｏｎｎｅｃｔメッセージを受信したＨＮＢ−ＧＷ３００の呼制御部３０３は、そのＲＵＡ  Ｃｏｎｎｅｃｔに含まれるＰＬＭＮ  ＩＤを取得し、そのＰＬＭＮ  ＩＤに対応するＣＮ４００についての情報をデータ管理部３０２から取得する。
【００５１】
ステップ１−５．  ＨＮＢ−ＧＷ３００の呼制御部３０３は、そのＣＮ４００に対して、ＲＡＮＡＰ  Ｉｎｉｔｉａｌ  ＵＥ  Ｍｅｓｓａｇｅメッセージを転送する。
【００５２】
このように、ＨＮＢ−ＧＷ３００は、ＲＡＮＡＰメッセージをデコードすることなく、ＲＡＮＡＰ  Ｉｎｉｔｉａｌ  ＵＥ  Ｍｅｓｓａｇｅを、その適切な送信先であるＣＮ４００にルーチングすることができる。
【００５３】
次に、本実施形態のＨＮＢ登録（ＨＮＢ  Ｒｅｇｉｓｔｒａｔｉｏｎ）時の手順について説明する。
【００５４】
ステップ２−１．  ＨＮＢ２００が起動されると、ＨＮＢ２００はＨＮＢＡＰ  ＨＮＢ  Ｒｅｇｉｓｔｅｒ  ＲｅｑｕｅｓｔメッセージをＨＮＢ−ＧＷ３００に対して送信する。この際、ＨＮＢ２００は、そのメッセージに、ＨＮＢ２００が接続すべき通信事業者１０、２０、３０のＰＬＭＮ  ＩＤのリストを設定する。
【００５５】
ステップ２−２．  ＨＮＢＡＰ  ＨＮＢ  Ｒｅｇｉｓｔｅｒ  Ｒｅｑｕｅｓｔメッセージを受信したＨＮＢ−ＧＷ３００の登録部３０１は、ＨＮＢ２００を示す情報と通知されたＰＬＭＮ  ＩＤのリストとをデータ管理部３０２に渡す。
【００５６】
ステップ２−３．  ＨＮＢ−ＧＷ３００のデータ管理部３０２は、登録部３０１からの渡された情報を保存する。
【００５７】
次に、本実施形態のページング受信時の手順について説明する。ここでは通信システムは図６の接続構成となっているものとする。
【００５８】
ステップ３−１．  ＨＮＢ−ＧＷ３００がＣＮ４００からＲＡＮＡＰ  Ｐａｇｉｎｇメッセージを受信する。
【００５９】
ステップ３−２．  ＲＡＮＡＰ  Ｐａｇｉｎｇメッセージを受信したＨＮＢ−ＧＷ３００の呼制御部３０３は、ＲＡＮＡＰ  Ｐａｇｉｎｇメッセージに含まれる情報をデータ管理部３０２に渡す。データ管理部３０２に保存されている情報においては、ＣＮ４００（ＰＬＭＮ  ＩＤ＝１０）はＨＮＢ２００、２２０、２３０と接続されているので、データ管理部３０２から呼制御部３０３に、ＲＡＮＡＰ  Ｐａｇｉｎｇメッセージの送信先となるＨＮＢ２００、ＨＮＢ２２０、ＨＮＢ２３０を示す情報が返却される。
【００６０】
ステップ３−３．  ＨＮＢ−ＧＷ３００はＨＮＢ２００、ＨＮＢ２２０、ＨＮＢ２３０にＲＡＮＡＰ  Ｐａｇｉｎｇメッセージを搭載したＲＵＡ  Ｃｏｎｎｅｃｔｉｏｎｌｅｓｓ  Ｔｒａｎｓｆｅｒを送信する。
【００６１】
次に、上記ステップ３−２において、ＲＡＮＡＰ  Ｐａｇｉｎｇメッセージの送信先となるＨＮＢを検索する手順について説明する。
【００６２】
ステップ４−１．  ＨＮＢ−ＧＷ３００はデータ管理部３０２にユーザー端末１００の在圏情報があるか否か判定し、ある場合には、そのユーザー端末１００が在圏しているＨＮＢの情報を抽出する。その際、ＲＡＮＡＰ  Ｐａｇｉｎｇメッセージに含まれるＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）が登録されているか否かで、ユーザー端末１００の在圏情報があるか否かを判定できる。
【００６３】
ステップ４−２．  データ管理部３０２にユーザー端末１００の在圏情報がない場合、ＨＮＢ−ＧＷ３００は、ＲＡＮＡＰ  Ｐａｇｉｎｇメッセージに設定されているＰａｇｉｎｇ  Ａｒｅａ  ＩＤを抽出する。そして、そのＰａｇｉｎｇ  Ａｒｅａ  ＩＤに含まれているＰＬＭＮ  ＩＤと、属するページングエリアの情報（Ｌｏｃａｔｉｏｎ  Ａｒｅａ  ＣｏｄｅもしくはＲｏｕｔｉｎｇ  Ａｒｅａ  Ｃｏｄｅ）が一致するＨＮＢを抽出する。
【００６４】
以上、実施形態を参照して本発明を説明したが、本発明は上記実施形態に限定されものではない。本発明の構成や詳細には、本発明の範囲内で当業者が理解し得る様々な変更をすることができる。
【００６５】
本出願は、２０１１年６月２３日に出願された日本出願特願２０１１−１３９５１１を基礎とする優先権を主張し、その開示の全てをここに取り込む。
【図１】
2012176545.tif 000003
【図２】
2012176545.tif 000004
【図３】
2012176545.tif 000005
【図４】
2012176545.tif 000006
【図５】
2012176545.tif 000007
【図６】
2012176545.tif 000008
【図７】
2012176545.tif 000009
【図８】
2012176545.tif 000010
【国際調査報告】
2012176545.tif 000011
2012176545.tif 000012
2012176545.tif 000013
2012176545.tif 000014